(57)【特許請求の範囲】
【請求項１】
撮影現場の地面に設置する支持台と、この支持台によって立設され、かつ、カメラが取り付けられる長尺状の一本の支柱とを備え、この支柱を、前記支持台に対して、左右方向及び前方向に傾斜可能に、かつ、周方向に回転可能に立設すると共に、前記支柱の上端側に前記カメラを俯仰自在に設け、かつ、そのカメラの俯仰角度の調整を可能にしてなるカメラスタンド装置において、
前記支持台を、板状のベース体と、このベース体上に固定された球状支持部材と、この球状支持部材を覆うように前記ベース体上に一体化した筒状ケース体とから少なくとも構成し、
前記筒状ケース体の上面に、前記支柱を鉛直方向に延在させた状態を保持する中央凹みと、前記支柱が左方向に傾斜した状態を保持する左傾斜保持用凹みと、前記支柱が右方向に傾斜した状態を保持する右傾斜保持用凹みと、前記支柱が前方向に傾斜した状態を保持する前方傾斜保持用凹みと、これら中央凹み、左傾斜保持用凹み、右傾斜保持用凹み及び前方傾斜保持用凹みへの前記支柱の移動を可能にする移動用通路からなる開口（１２）を設けると共に、前記左傾斜保持用凹み、右傾斜保持用凹み及び前方傾斜保持用凹みによって、前記支柱の左右方向及び前方向の傾斜角度が、略同一となるように前記支柱が保持される構成とし、
さらに、前記支柱の下端に内壁を略半球状とした嵌合凹部材を固定してこの嵌合凹部材を、前記筒状ケース体の開口（１２）を通して前記支持台の球状支持部材に対して、回転自在に、かつ、着脱自在に、嵌合させることで、前記支柱を前記支持台に対して、回転自在に、かつ、着脱自在に設け、
しかも、前記支柱には、前記筒状ケース体の中央凹みに前記支柱を嵌合させた状態で前記支柱を上方に持ち上げた際に、前記中央凹みの縁部下面に係止して前記嵌合凹部材が前記球形頭部から抜け出ることを阻止し、かつ、前記支柱を傾けて前記中央凹みに嵌合しない状態とすることで前記支柱を上方に持ち上げた際に、前記中央凹みの縁部下面に係止することなく前記嵌合凹部材が前記球形頭部から抜け出ることを可能にするストッパーリングを固定したことを特徴とするカメラスタンド装置。
【請求項２】
前記中央凹み、前記左傾斜保持用凹み、前記右傾斜保持用凹み及び前記前方傾斜保持用凹みの各端縁近傍には、位置決め目印を設けると共に、前記支柱の外周表面には、周方向の位置決め用標示部を設けたことを特徴とする請求項１に記載のカメラスタンド装置。
【発明の詳細な説明】
【技術分野】
【０００１】  本発明は、高所からの撮影に好適なカメラスタンド装置に関するものである。
【背景技術】
【０００２】  この種の従来技術としては、カメラ撮影用三脚に、カメラ４を操作する人（以下、撮影者と称する。）の体重を支える強度を施すと共に、撮影者がステップアップするための足場部を設けることで、脚立機能を付加したカメラスタンド装置が知られていた（例えば、特許文献１参照）。【０００３】
【特許文献１】特開２００３−７５９０８号公報（段落番号０００８〜段落番号００１４、図１）
【発明の開示】
【発明が解決しようとする課題】
【０００４】  しかしながら、上述した特公開２００３−７５９０８号公報に記載されているカメラスタンド装置は、三脚のため、広い設置面積を必要とし、狭隘な場所への設置が困難であると共に、撮影者の目線以上の高さからカメラ撮影をするには、撮影者が脚立兼用のカメラ撮影用三脚上に載って撮影作業をする必要があり、撮影者に不安定な姿勢を強いられるために、安全に撮影作業を行うことができないという問題があった。また、上述した特公開２００３−７５９０８号公報に記載されているカメラスタンド装置では、脚立兼用の構造体とするため、複雑な構造となり、嵩張ってしまうと共に、軽量化が図られておらず、持ち運びに不便であるという問題があった。【０００５】  本発明は、上述した従来技術における実状からなされたもので、その目的は、撮影者の目線以上の高さからカメラ撮影を、円滑に、かつ、正確に行うことを可能にする構造簡単で、取扱い性のよいカメラスタンド装置を提供するにある。
【課題を解決するための手段】
【０００６】  上記目的を達成するために、撮影現場の地面に設置する支持台と、この支持台によって立設され、かつ、カメラが取り付けられる長尺状の一本の支柱とを備え、この支柱を、前記支持台に対して、左右方向及び前方向に傾斜可能に、かつ、周方向に回転可能に立設すると共に、前記支柱の上端側に前記カメラを俯仰自在に設け、かつ、そのカメラの俯仰角度の調整を可能にしてなるカメラスタンド装置において、前記支持台を、板状のベース体と、このベース体上に固定された球状支持部材と、この球状支持部材を覆うように前記ベース体上に一体化した筒状ケース体とから少なくとも構成し、前記筒状ケース体の上面に、前記支柱を鉛直方向に延在させた状態を保持する中央凹みと、前記支柱が左方向に傾斜した状態を保持する左傾斜保持用凹みと、前記支柱が右方向に傾斜した状態を保持する右傾斜保持用凹みと、前記支柱が前方向に傾斜した状態を保持する前方傾斜保持用凹みと、これら中央凹み、左傾斜保持用凹み、右傾斜保持用凹み及び前方傾斜保持用凹みへの前記支柱の移動を可能にする移動用通路からなる開口を設けると共に、前記左傾斜保持用凹み、右傾斜保持用凹み及び前方傾斜保持用凹みによって、前記支柱の左右方向及び前方向の傾斜角度が、略同一となるように前記支柱が保持される構成とし、さらに、前記支柱の下端に内壁を略半球状とした嵌合凹部材を固定してこの嵌合凹部材を、前記開口を通して前記支持台の球状支持部材に対して、回転自在に、かつ、着脱自在に、嵌合させることで、前記支柱を前記支持台に対して、回転自在に、かつ、着脱自在に設け、しかも、前記支柱には、前記筒状ケース体の中央凹みに前記支柱を嵌合させた状態で前記支柱を上方に持ち上げた際に、前記中央凹みの縁部下面に係止して前記嵌合凹部材が前記球形頭部から抜け出ることを阻止し、かつ、前記支柱を傾けて前記中央凹みに嵌合しない状態とすることで前記支柱を上方に持ち上げた際に、前記中央凹みの縁部下面に係止することなく前記嵌合凹部材が前記球形頭部から抜け出ることを可能にするストッパーリングを固定したことを特徴としている。【０００７】  さらに、本発明は、前記中央凹み、前記左傾斜保持用凹み、前記右傾斜保持用凹み及び前記前方傾斜保持用凹みの各端縁近傍には、位置決め目印を設けると共に、前記支柱の外周表面には、周方向の位置決め用標示部を設けたことを特徴としている。
【発明の効果】
【０００８】  請求項１の発明によれば、次の（１）〜（６）の効果がえられる。【０００９】（１）支持台に対して、カメラを取り付けた一本の支柱を、左右方向及び前方向に傾斜可能に、しかも、周方向に回転可能に立設したので、全体の小形化が図られて狭隘な場所への設置が容易となるカメラスタンド装置が得られる。【００１０】（２）撮影現場にカメラスタンド装置を運搬する際には、支柱を支持台から上方に引き抜くことで、支柱と支持台に分離させると共に、支柱を最短に縮めた状態することにより、そのカメラスタンド装置を手持ち運搬することができるカメラスタンド装置が得られる。【００１１】（３）支持台の中央凹み、左傾斜保持用凹み、右傾斜保持用凹み及び前方傾斜保持用凹みにより、支柱の左右方向、前方向及び鉛直方向の四方向の、支柱の位置決めを、正確に、かつ、円滑に行うことができ、しかも、支柱の傾斜角度が、略同一に保持されるので、撮影対象物に対して２個所以上の撮影アングルの異なる撮影を一つのカメラによって、正確に、かつ、円滑に、行うことができる便利なカメラスタンド装置が得られる。【００１２】（４）筒状ケース体の中央凹みに支柱を嵌合させた状態で支柱を上方に持ち上げた際に、中央凹みの縁部下面にストッパーリングが係止して嵌合凹部材が球形頭部から抜け出ることが阻止されるので、支柱を鉛直方向に持ち上げることにより、撮影現場において、希望する場所に支持台と支柱を一緒に持ち運ぶことができ、取扱い性のよいカメラスタンド装置が得られる。【００１３】（５）支柱を傾けてストッパーリングを中央凹みに嵌合しない状態とすることで、支柱を上方に持ち上げた際に、中央凹みの縁部下面に係止することなく嵌合凹部材が前記球形頭部から抜け出て、支柱を支持台の開口から円滑に引き抜くことができ、支持台と支柱を簡単に分離することができる構成簡単なカメラスタンド装置が得られる。【００１４】（６）カメラスタンド装置を組み立てる際、支柱の下端に固定した嵌合凹部材を、筒状ケース体の開口を通して支持台の球状支持部材に嵌合させることで、支柱を支持台に対して、回転自在に、かつ、着脱自在となるように、容易に組み立てることのできる構成簡単なカメラスタンド装置が得られる。【００１５】請求項２の発明によれば、前記中央凹み、左傾斜保持用凹み、右傾斜保持用凹み及び前方傾斜保持用凹みの各端縁近傍には、位置決め目印を設けると共に、支柱の外周表面には、周方向の位置決め用標示部を設けて、この位置決め用標示部を、前記支柱を回転させることで、前記位置決め目印に合わせることにより、支柱の周方向の位置決めを簡単に行うことができるため、撮影角度の位置を短時間で正確に合わせることのできる便利なカメラスタンド装置が得られる。
【発明を実施するための最良の形態】
【００１６】  以下、本発明の一実施形態例を、図１〜図７に基づいて、詳説する。図１は、本発明の一実施形態に係わるカメラスタンド装置の全体斜視図である。図２は、本発明の一実施形態に係わるカメラスタンド装置の支持台の拡大斜視図である。図３は、本発明の一実施形態に係わるカメラスタンド装置の支柱を球状支持部材に取り付けた状態を示し、一部を破断してなる要部拡大斜視図である。図４は、本発明の一実施形態に係わるカメラスタンド装置の支柱を球状支持部材から取り外した状態を示し、要部拡大斜視図である。図５は、本発明の一実施形態に係わるカメラスタンド装置の支柱に取り付けたカメラ支持機構の要部拡大斜視図である。図６は、本発明の一実施形態に係わるカメラスタンド装置の支柱に取り付けたモニターの要部拡大斜視図である。図７は、本発明の一実施形態に係わるカメラスタンド装置全体を移動させる際の支柱と支持台と球状支持部材との関係を示し、一部を破断してなる要部拡大斜視図である。【００１７】  図１に示すカメラスタンド装置１は、支持台２と、この支持台２によって立設される長尺状の一本の支柱３と、この支柱３の上端側に設けられるカメラ４と、このカメラ４を俯仰自在に支柱３に取り付けるためのカメラ支持機構５と、支柱３の中間部分に設けられるモニター６と、このモニター６を支柱３に固定するための固定部材７とを、少なくとも備えている。カメラスタンド装置１は、全体重量が５ｋｇ以内となるように設計されている。【００１８】  支持台２は、図１及び図２に示すように、板厚０．５ｃｍのアルミニュウム板材からなるベース体８と、このベース体８上に設けた金属製の球状支持部材９と、この球状支持部材９を覆うようにベース体７上に設けた鋼材からなる筒状ケース体１０とから少なくとも構成されている。筒状ケース体１０は、ベース体８の上面に溶接等により一体化される。球状支持部材９は、図３に示すように、ナット１１を用いてベース体８の中央部分に取り付けられる。支持台２の大きさは、約横幅２３ｃｍ×約奥行３４ｃｍ×約高さ２３ｃｍに設計されている。【００１９】  ベース体８は、外周端縁を下方に折り曲げることにより折り曲げ片８Ａが形成されている。ベース体８は、筒状ケース体１０が設けられた状態であっても、撮影者の片足Ｙをベース体８上に乗せてそのベース体８を下方に向って踏み付けることができる大きさの平坦面８Ｂを備えている。【００２０】  球状支持部材９は、図３若しくは図４に示すように、球形頭部９Ａと、この球形頭部９Ａの下方に一体的に形成した円盤状の支持座９Ｂと、この支持座９Ｂから下方に延設したねじ部９Ｃとからなっている。球状支持部材９は、ねじ部９Ｃをベース体８に設けた取り付け孔８Ｃ（図４参照）に挿入した後、そのねじ部９Ｃにナット１１を螺着させることによって、ベース体８上に固定される。【００２１】  筒状ケース体１０の上面には、図２に示すように、支柱３を鉛直方向に延在させた状態を保持する中央凹み１２Ａと、支柱３が左方向に約２０度傾斜した状態を保持する左傾斜保持用凹み１２Ｂと、支柱３が右方向に約２０度傾斜した状態を保持する右傾斜保持用凹み１２Ｃと、支柱３が前方向に約２０度傾斜した状態を保持する前方傾斜保持用凹��１２Ｄと、これら中央凹み１２Ａ、左傾斜保持用凹み１２Ｂ、右傾斜保持用凹み１２Ｃ及び前方傾斜保持用凹み１２Ｄへの支柱３の移動を可能にする移動用通路１２Ｅからなる開口１２が形成されている。中央凹み１２Ａ、左傾斜保持用凹み１２Ｂ、右傾斜保持用凹み１２Ｃ及び前方傾斜保持用凹み１２Ｄの各端縁近傍には、小孔からなる位置決め目印１３Ａ、１３Ｂ、１３Ｃ、１３Ｄが設けられている。筒状ケース体１０の正面には、球状支持部材９をベース体８に取り付けるための取り付け開口１４が設けられている。筒状ケース体１０の外観形状は、円筒状でも直立方体状でもよい。【００２２】  支柱３は、アルミニュウム製の円管（直径約３．３ｃｍ）からなり、最長約５ｍとなり、かつ、最短約１．５ｍとなるように伸縮自在（長さ調整可能）な構造としてある。例えば、支柱３は、長さ調整可能な旗竿若しくは釣竿などと同様の構造によって、伸縮可能としてある。支柱３の下端内には、図３に示すように、鋼製の嵌合凹部材１５がねじなどの締結具１６によって固定されている。嵌合凹部材１５の内壁は、球状支持部材９の球形頭部９Ａが嵌合可能な半球状としてある。支柱３は、嵌合凹部材１５を球状支持部材９の球形頭部９Ａに嵌合させることで、支持台２のベース体８に対して、回転自在に、かつ、傾動自在に、しかも、着脱可能に設けられる。換言すれば、支柱３は、球状支持部材９を支点として、回転自在に、かつ、着脱自在に設けられている。支柱３には、図３の状態でその支柱３を上方に引っ張り上げても、嵌合凹部材１５が球形頭部９Ａから完全に抜け出ることを阻止するストッパーリング１７がねじなどの締結具１８で固定されている。支柱３の外周表面には、罫書き線からなる周方向の位置決め用標示部１９が設けられている。【００２３】  カメラ４としては、デジタル式カメラが用いられ、カメラ支持機構５によって、支柱３の上端に俯仰自在に設けられている。カメラ４のシャッターは、図示しないリモートコントロール装置によって切るようにしてある。カメラ支持機構５は、図５に示すように、支柱３の上端に固定した一対の鋼材からなる支えバー２０、２０Ａと、この支えバー２０、２０Ａの前端側に軸体２１によって回転自在に取り付けた鋼材製のアーム２２と、支えバー２０、２０Ａの後端側に設けた一対のガイドピン２３、２３Ａと、アーム２２の前端側に設けたカメラ取り付け部材２４と、一端をアーム２２の後端側に固定し、かつ、他端を巻取り装置２５に装着した球チェーン２６とからなっている。巻取り装置２５は、支柱３の外周に固定される。球チェーン２６は、一対のガイドピン２３、２３Ａの間を通すようにしてある。【００２４】  アーム２２は、図５に示すように、カメラ取り付け部材２４にカメラ４を取り付けるとそのカメラ４の自重で軸体２１を回転軸として俯くように設定されている。カメラ４及びアーム２２は、球チェーン２６を下方に引っ張ると軸体２１を回転軸として仰ぐ方向（図１の矢印Ｐ１方向）に回転し、かつ、球チェーン２６を離すとカメラ４の自重で軸体２１を回転軸として俯く方向に回転するようにしてある。球チェーン２６は、下方に引っ張られると、その球チェーン２６の下端側が巻取り装置２５内に収納されるようにして��る。なお、支柱３を前方傾斜保持用凹み１２Ｄに嵌合させることで、その支柱３を前方向に約２０度傾斜させた状態とすると共に、球チェーン２６を自由にする、すなわち、球チェーン２６を下方に引っ張られた状態から開放すれば、カメラ４の自重で軸体２１を回転軸として俯く方向に回転してそのカメラ４の撮影窓が真下に向くように設定されている。【００２５】  モニター６の表示画面６Ａには、カメラ４によって撮影される映像が表示されるようにしてある。モニター６を支柱３に固定するための固定部材７は、図６に示すように、鋼板製であって、支柱３に挿入固定される一対の固定片部７Ａ、７Ｂと、この一対の固定片部７Ａ、７Ｂの間にあってその固定片部７Ａ、７Ｂと一体的に設けられた傾斜面部７Ｃと、球チェーン２６が下方に引っ張られた状態を保持するための係止部となるスリット７Ｄとからなっている。スリット７Ｄは、固定片部７Ａの端縁の一部を切り欠くことによって形成される。球チェーン２６を上下（図６の矢印Ｐ２参照）に移動させることで、カメラ４の俯仰角度の微調整を行い、希望する俯仰角度になったならば、球チェーン２６を、図６の矢印Ｐ３のように、スリット７Ｄに向って移動させて、そのスリット７Ｄに球チェーン２６の繋ぎ部分を係止させることで、カメラ４の俯仰角度を、希望する俯仰角度に保持できる。【００２６】  上記構成のカメラスタンド装置１を、撮影現場に運搬する場合は、支柱３をベース体８上の球状支持部材９から引き抜くことで、支柱３と支持台２に分離させると共に、支柱３を最短に縮めることにより手持ち運搬が可能となる。【００２７】  上記のようにして、撮影現場に運搬したカメラスタンド装置１の組み立ては、支持台２を撮影現場の地面に設置した後、支柱３を筒状ケース体１０の上面に設けた開口１２に挿入して、その支柱３に設けた嵌合凹部材１５をベース体８上の球状支持部材９に嵌合させることにより容易に行うことができる。なお、図４に示すように、支柱３を傾けて中央凹み１２Ａに支柱３に嵌合しない状態にすれば、ストッパーリング１７に邪魔されることなく、支柱３を斜め下方に移動若しくは支柱３を斜め上方に移動させることができるので、嵌合凹部材１５を球状支持部材９に嵌合させる作業及び球状支持部材９から嵌合凹部材１５を引き抜く作業を円滑に行うことができる。【００２８】  撮影現場において、撮影場所を変えたい場合には、支柱３を支持台２に設置した状態、すなわち、支柱３に設けた嵌合凹部材１５をベース体８上の球状支持部材９に嵌合させた状態のままで、カメラスタンド装置１を移動させる。その場合、図７に示すように、筒状ケース体１０の中央凹み１２Ａに支柱３を嵌合させた状態で、支柱３を上方（矢印Ｐ４方向）に持ち上げると、ストッパーリング１７が筒状ケース体１０の中央凹み１２Ａの縁部下面に係止すると共に、支柱３の嵌合凹部材１５がベース体８上の球状支持部材９から完全に抜けない状態になっているため、支柱３を鉛直方向に持ち上げることで、支持台２及び支柱３を一緒に希望する場所に移動させることができる。【００２９】  上記構成のカメラスタンド装置１によって、住居跡や土器出土状況などの埋蔵文化財（以下、撮影対象物と称する。）を撮影するには���支柱３を伸縮させることにより、支柱３の長さを希望値に設定する。その後、球チェーン２６を下方に引っ張ることで、軸体２１を回転軸として、アーム２２を仰ぐ方向（図１の矢印Ｐ１方向）に回転させてカメラ４の俯仰角度を調整する。カメラ４の俯仰角度を、希望の角度に調整後、球チェーン２６を、モニター６を支柱３に固定するための固定部材７に設けたスリット７Ｄに、係止させる。このことにより、撮影者の目線以上の高さ、例えば、約５ｍの高さに設置したカメラ４であっても、支持台２を撮影者の片足Ｙで踏み付け、かつ、支柱を撮影者の片手Ｘで保持した状態で、モニターの映像を見ながら、カメラ４の撮影アングルを、正確に、安全に設定することができる。したがって、撮影対象物の撮影作業を、安全に行うことができる。また、上記構成のカメラスタンド装置１は、支持台２を撮影者の片足Ｙで踏み付け、かつ、支柱を撮影者の片手Ｘで保持した状態で、撮影対象物の撮影作業を行うようにしたものであって、構造が単純であり、軽量化が図られているので、運搬性に優れている。【００３０】  支柱３を開口１２の中央凹み１２Ａに嵌合させることで、支柱３を鉛直方向に立てた状態のカメラ４による撮影を終了させた後、支柱３を左方向に約２０度傾斜させた状態でのカメラ４による撮影を行うには、図１の矢印Ｑ１示すように、移動用通路１２Ｅを利用して、支柱３を開口１２の左傾斜保持用凹み１２Ｂに嵌合させればよい。また、支柱３を右方向に約２０度傾斜させた状態でのカメラ４による撮影を行うには、図１の矢印Ｑ２示すように、移動用通路１２Ｅを利用して、支柱３を開口１２の右傾斜保持用凹み１２Ｃに嵌合させればよい。また、支柱３を前方向に約２０度傾斜させた状態でのカメラ４による撮影を行うには、図１の矢印Ｑ３示すように、移動用通路１２Ｅを利用して、支柱３を開口１２の前方傾斜保持用凹み１２Ｄに嵌合させればよい。これにより、移動用通路１２Ｅを利用して、支柱３を、左傾斜保持用凹み１２Ｂ、右傾斜保持用凹み１２Ｃ若しくは前方傾斜保持用凹み１２Ｄに移動させることで、予め設定した傾斜角度での撮影を正確に行うことができる。【００３１】  支柱３を、中央凹み１２Ａ、左傾斜保持用凹み１２Ｂ、右傾斜保持用凹み１２Ｃ若しくは前方傾斜保持用凹み１２Ｄに嵌合させた後、支柱３を周方向に回転させることで、位置決め用標示部１９を位置決め目印１３Ａ、１３Ｂ、１３Ｃ、１３Ｄに合わせる（一致させる）ようにすれば、支柱３を左傾斜保持用凹み１２Ｂ、右傾斜保持用凹み１２Ｃ若しくは前方傾斜保持用凹み１２Ｄに移動させた際に、支柱３が周方向に回転してしまっても、その支柱３の周方向の位置決めを簡単に行うことができるので、便利である。【００３２】  上記実施形態によれば、支持台２におけるベース体８の平坦面８Ｂを撮影者が片足Ｙで踏み付けると、ベース体８の折り曲げ片８Ａが、撮影現場の地面に食い込み、カメラスタンド装置１の設置を安定させる。【００３３】  上記実施形態によれば、撮影対象物を撮影するために、予め設定した撮影位置にカメラスタンド装置１を設置した状態で、支柱３を、中央凹み１２Ａ、左傾斜保持用凹み１２Ｂ、右傾斜保持用凹み１２Ｃ若しくは前方傾斜保持用凹み１２Ｄに移動さ��ることで、撮影対象物に対して２個所以上の撮影アングルの異なる撮影をカメラ４によって行うことができる。カメラ４によって得られた映像データは、三角測量の原理による写真測定ソフトウェアを用い、三次元解析により立体映像処理される。【００３４】  上記実施形態では、位置決め目印１３Ａ、１３Ｂ、１３Ｃ、１３Ｄは、小孔としているが、これに限定されない。位置決め目印１３Ａ、１３Ｂ、１３Ｃ、１３Ｄは、凹み、罫書き線などの印であってもよい。また、上記実施形態では、周方向の位置決め用標示部１９は、罫書き線としているが、これに限定されない。位置決め用標示部１９は、小孔や凹みであってもよい。また、ベース体８の材質をアルミニューム板材としているが、強化プラスチック製としてもよい。
【図面の簡単な説明】
【００３５】
【図１】本発明の一実施形態に係わるカメラスタンド装置の全体斜視図である。
【図２】本発明の一実施形態に係わるカメラスタンド装置の支持台の拡大斜視図である。
【図３】本発明の一実施形態に係わるカメラスタンド装置の支柱を球状支持部材に取り付けた状態を示し、一部を破断してなる要部拡大斜視図である。
【図４】本発明の一実施形態に係わるカメラスタンド装置の支柱を球状支持部材から取り外した状態を示し、要部拡大斜視図である。
【図５】本発明の一実施形態に係わるカメラスタンド装置の支柱に取り付けたカメラ支持機構の要部拡大斜視図である。
【図６】本発明の一実施形態に係わるカメラスタンド装置の支柱に取り付けたモニターの要部拡大斜視図である。
【図７】、本発明の一実施形態に係わるカメラスタンド装置全体を移動させる際の支柱と支持台と球状支持部材との関係を示し、一部を破断してなる要部拡大斜視図である。
【符号の説明】
【００３６】１    カメラスタンド装置
２    支持台
３    支柱
４    カメラ
５    カメラ支持機構
６    モニター
６Ａ  表示画面
７    固定部材
７Ａ、７Ｂ  一対の固定片部
７Ｃ  傾斜面部
７Ｄ  スリット
８    ベース体
８Ａ  折り曲げ片
８Ｂ  平坦面
８Ｃ  取り付け孔
９    球状支持部材
９Ａ  球形頭部９Ａ
９Ｂ  支持座９Ｂ
９Ｃ  ねじ部９Ｃ
１０  筒状ケース体
１１  ナット
１２  開口
１２Ａ  中央凹み
１２Ｂ  左傾斜保持用凹み
１２Ｃ  右傾斜保持用凹み
１２Ｄ  前方傾斜保持用凹み
１２Ｅ  移動用通路
１３Ａ、１３Ｂ、１３Ｃ、１３Ｄ  位置決め目印
１４  取り付け開口
１５  嵌合凹部材
１６  締結具
１７  ストッパーリング
１８  締結具
１９  位置決め用標示部
２０、２０Ａ  支えバー
２１  軸体
２２  アーム
２３、２３Ａ  ガイドピン
２４  カメラ取り付け部材
２５  巻取り装置
２６  球チェーン
Ｘ    撮影者の片手
Ｙ    撮影者の片足
【図１】
0004446256.tif 000002
【図２】
0004446256.tif 000003
【図３】
0004446256.tif 000004
【図４】
0004446256.tif 000005
【図５】
0004446256.tif 000006
【図６】
0004446256.tif 000007
【図７】
0004446256.tif 000008